(57)【要約】【課題】リモコンを用いた無線通信により操作することが可能な天井埋め込み型の照明装置を提供する。【解決手段】実施形態の一例である照明装置１０は、軸方向一端が開口した筒状の装置本体１１と、装置本体１１の内部に設けられた発光モジュール１２とを備える天井埋め込み型の照明装置である。照明装置１０は、装置本体１１の外側に設けられた無線通信モジュール６０をさらに備える。【選択図】図２
2018198140.tif 000002
【特許請求の範囲】
【請求項１】
軸方向一端が開口した筒状の装置本体と、
前記装置本体の内部に設けられた発光モジュールと、
を備える天井埋め込み型の照明装置であって、
前記装置本体の外側に設けられた無線通信モジュールをさらに備える、照明装置。
【請求項２】
前記無線通信モジュールは、基板と、前記基板の一方の面に設けられたアンテナとを有し、前記アンテナが前記装置本体の内側を向いた状態で配置されている、請求項１に記載の照明装置。
【請求項３】
前記装置本体の外面には、前記無線通信モジュールの収容部が立設している、請求項１または２に記載の照明装置。
【請求項４】
前記装置本体は、
前記発光モジュールを収容する上筒体と、
軸方向両端が開口した下筒体と、
で構成され、
前記収容部は、前記下筒体の外面に立設している、請求項３に記載の照明装置。
【請求項５】
前記下筒体は、樹脂で構成されている、請求項４に記載の照明装置。
【請求項６】
前記上筒体および前記下筒体は、互いに係合する係合部として、前記収容部に近接配置される第１係合部と、前記第１係合部よりも前記収容部から離れて配置される第２係合部とを有し、
前記上筒体の前記第２係合部と前記下筒体の前記第２係合部とが、互いに締結部品を用いて固定されている、請求項４または５に記載の照明装置。
【請求項７】
電源ユニットと、
前記装置本体の天板上に配置され、前記電源ユニットが載置される取付台と、
前記取付台と一体化された、前記無線通信モジュールを収容するケースと、
をさらに備える、請求項１〜６のいずれか１項に記載の照明装置。
【請求項８】
前記無線通信モジュールを収容するケースをさらに備え、
前記収容部には、前記ケースが挿入されている、請求項３〜６のいずれか１項に記載の照明装置。
【請求項９】
前記装置本体は、筒壁に形成された開口部を有し、
前記無線通信モジュールは、前記装置本体の外側において、前記アンテナが前記開口部の近傍に位置するように設けられている、請求項２に記載の照明装置。
【請求項１０】
前記無線通信モジュールを収容するケースをさらに備え、
前記ケースは、前記開口部に挿し込まれ、ケース底部が前記装置本体の前記筒壁に沿うように配置されている、請求項９に記載の照明装置。
【発明の詳細な説明】
【技術分野】
【０００１】
本開示は、照明装置に関する。
【背景技術】
【０００２】
従来、発光モジュールを内部に収容する筒状の装置本体を備え、装置本体の開口を鉛直下方に向けた状態で天井の埋め込み孔に挿入される天井埋め込み型の照明装置が広く知られている。例えば、特許文献１には、複数の発光素子が実装された基板および反射体を具備する光源ユニットと、当該光源ユニットを収容する筒状の装置本体とを備えた天井埋め込み型の照明装置が開示されている。このような照明装置は、一般的にダウンライトと呼ばれる。
【先行技術文献】
【特許文献】
【０００３】
【特許文献１】特開２０１１−０２３３４５号公報
【発明の概要】
【発明が解決しようとする課題】
【０００４】
ところで、天井埋め込み型の照明装置は、一般的に装置と有線接続された壁スイッチによって点灯、消灯、調光、調色等の操作がなされるが、リモコンを用いた無線通信により操作することができればユーザーにとって便利である。ただし、この場合、照明装置の施工性、照明性能等を損なうことなく、良好な無線通信性能を確保する必要がある。
【課題を解決するための手段】
【０００５】
本開示の一態様である照明装置は、軸方向一端が開口した筒状の装置本体と、前記装置本体の内部に設けられた発光モジュールとを備える天井埋め込み型の照明装置であって、前記装置本体の外側に設けられた無線通信モジュールをさらに備えることを特徴とする。
【発明の効果】
【０００６】
本開示の一態様である天井埋め込み型の照明装置によれば、リモコンを用いた無線通信により操作することが可能である。
【図面の簡単な説明】
【０００７】
【図１】実施形態の一例である照明装置を上方から見た斜視図である。
【図２】実施形態の一例である照明装置を下方から見た分解斜視図である。
【図３Ａ】実施形態の一例である装置本体を上方から見た斜視図であって、上筒体と下筒体とが互いに係合した状態を示す。
【図３Ｂ】実施形態の一例である装置本体を上方から見た斜視図であって、上筒体と下筒体とが係合していない状態を示す。
【図４】図１中のＡＡ線断面図（端子台の図示省略）である。
【図５】実施形態の一例である照明装置を上方から見た斜視図（電源ユニットの図示省略）であって、ケースカバーを取り外した状態を示す。
【図６】実施形態の一例である照明装置を上方から見た分解斜視図（電源ユニットの図示省略）である。
【図７】実施形態の他の一例である照明装置を下方から見た斜視図である。
【図８】図７中のＢＢ線断面図（端子台の図示省略）である。
【図９】実施形態の他の一例である照明装置を上方から見た斜視図である。
【発明を実施するための形態】
【０００８】
以下、図面を参照しながら、本開示に係る照明装置の実施形態の一例について詳細に説明する。なお、以下で説明する複数の実施形態の各構成要素を選択的に組み合わせることは当初から想定されている。本明細書では、説明の便宜上、照明装置を天井に取り付けた状態で、照明装置の鉛直上方側を「上」、鉛直下方側を「下」とする。また、筒状の装置本体の表面のうち、筒の内側に向いた面を「内面」、筒の外側に向いた面を「外面」とする。
【０００９】
以下、図１〜図６を参照しながら、実施形態の一例である照明装置１０について詳細に説明する。図１は、照明装置１０を上方から見た斜視図である。図２は、照明装置１０を下方から見た分解斜視図である。
【００１０】
図１および図２に例示するように、照明装置１０は、軸方向一端が開口した筒状の装置本体１１と、装置本体１１の内部に設けられた発光モジュール１２とを備える天井埋め込み型の照明装置である。照明装置１０は、装置本体１１の開口を鉛直下方に向けた状態で天井の埋め込み孔に挿入されて天井に取り付けられる。照明装置１０は、一般的にダウンライトと呼ばれる。本実施形態において、装置本体１１は、発光モジュール１２を収容する上筒体２０と、軸方向両端が開口した下筒体３０とで構成されている。
【００１１】
照明装置１０は、さらに、装置本体１１の外側に設けられた無線通信モジュール６０を備える。無線通信モジュール６０は、リモコン（図示せず）の操作に基づく操作信号等を受信する機能を有し、照明装置１０の発光モジュール１２は当該操作信号等に基づいて制御される。照明装置１０は、例えばリモコンを用いた無線通信により点灯、消灯、調光、調色等の操作が可能である。
【００１２】
照明装置１０では、無線通信モジュール６０がケース７６に収容され、当該ケース７６が装置本体１１の外面に立設した収容部３４によって安定に支持されている。なお、無線通信モジュール６０が装置本体の収容部に直接収容される形態としてもよい。この場合、例えば収容部にケース７６と同様の無線通信モジュール６０の保持機能が設けられる。或いは、装置本体の外面に無線通信モジュール６０の収容部が存在しない形態としてもよい（後述の図９参照）。
【００１３】
照明装置１０は、例えば住居の室内において水平な天井に取り付けられるが、水平方向および鉛直方向に対して傾斜した天井に取り付けることも可能である。また、照明装置１０は住居の廊下、玄関などの天井、或いは図書館等の公共施設、デパート等の商業施設、オフィス、店舗、工場などの天井に取り付けることもできる。照明装置１０が取り付けられる天井は、建築空間の上方を区画する部位であればよく、例えば玄関ポーチ、テラスなどの天井であってもよい。
【００１４】
照明装置１０では、ホルダ１５によって保持された発光モジュール１２が、装置本体１１を構成する上筒体２０の内部に配置されている。発光モジュール１２は、例えば長方形状の基板に実装されたＣＯＢ（Chip on Board）タイプの光源を有する。光源を構成する発光素子は、半導体発光素子であることが好ましく、中でもＬＥＤ（Light Emitting Diode）が特に好ましい。発光素子は、蛍光体を含む封止層で封止されていてもよい。光源は、例えば蛍光体によって発光素子の青色光の一部をより長波長の光に変換し、青色光の残りの一部と混色することで白色光を出射する。
【００１５】
照明装置１０は、装置本体１１に設けられたバネ支持部３３に固定される取付バネ１３を備える。バネ支持部３３は、装置本体１１を構成する下筒体３０において筒壁３１の外面に立設している。バネ支持部３３は、下筒体３０の径方向に並んで２箇所に形成され、取付バネ１３の端部を挿し込み可能な形状を有する。取付バネ１３は、板バネ構造を有し、水平方向に延びている。照明装置１０は、取付バネ１３が天井裏空間において天井の埋め込み孔の周囲に当接することで天井に固定される。取付バネ１３の数は特に限定されず、３つ以上設けられていてもよい。
【００１６】
照明装置１０は、装置本体１１を構成する上筒体２０の開口を覆う透光性カバー１４（図２参照）を備える。透光性カバー１４は、緩やかに湾曲して径方向中央部が下方に膨出した略円板形状を有し、上筒体２０および下筒体３０の間に配置されている。本実施形態では、透光性カバー１４が、上筒体２０と下筒体３０とによって挟持されている。なお、透光性カバーの形状は特に限定されず、例えばホルダ１５の全体を収容する有底円筒形状の部材であってもよい。
【００１７】
透光性カバー１４は、例えば光拡散用のフィラーまたはボイドを含有する乳白色の透光部材であってもよく、透明な透光部材であって入射面と出射面とで光を成形するレンズ機能を有していてもよい。透光性カバー１４は、上筒体２０の内部に収容された発光モジュール１２を覆って保護すると共に、発光モジュール１２から出射される光を透過または拡散透過させる機能を有する。
【００１８】
照明装置１０は、上述の通り、装置本体１１、発光モジュール１２、取付バネ１３、透光性カバー１４、ホルダ１５、および無線通信モジュール６０を備え、電源ユニット５０および支持部材７０をさらに備える。支持部材７０は、電源ユニット５０の取付台７１および無線通信モジュール６０のケース７６が一体化された構造を有する。本実施形態では、電源ユニット５０が取付台７１を介して上筒体２０の天板２２上に配置され装置本体１１と一体化されているが、電源ユニットは装置本体から分離された状態で天井裏空間に配置されていてもよい。
【００１９】
装置本体１１は、軸方向一端（下端）が開口した筒状体であって、装置本体１１の内部には発光モジュール１２を保持するホルダ１５が固定されている。装置本体１１は、軸方向に垂直な断面が略真円形状で、軸方向一端の開口に近づくほど拡径した末広がりの形状を有する。なお、装置本体１１は、円筒形状に限定されず、軸方向に垂直な断面が矩形状を呈する筒状体であってもよい。
【００２０】
装置本体１１は、上述の通り、上筒体２０と、下筒体３０とで構成されている。上筒体２０および下筒体３０は、互いに係合する係合部（上筒係合部２６および下筒係合部３６）をそれぞれ有する。上筒体２０および下筒体３０は、装置本体１１の周方向に沿って回転可能で、かつ当該回転により上筒係合部２６と下筒係合部３６とが係合自在に構成されている。上筒係合部２６および下筒係合部３６はそれぞれ複数設けられ、上筒係合部２６の少なくとも１つが、下筒係合部３６の少なくとも１つにネジ４２を用いて固定されていることが好ましい。この場合、経年劣化による部品の落下を防止できる。
【００２１】
装置本体１１の内側を向いた内面、特に下筒体３０の内面は、ユーザーから見える意匠面となる。装置本体１１の内面は、例えば発光モジュール１２から出射される光の反射面として機能する。装置本体１１の内面には、光の反射率を高めるために、蒸着、メッキ、スパッタリング等により金属層が形成されていてもよく、研磨等により鏡面仕上げされていてもよい。また、装置本体１１の内面には白色顔料を含有する白色の塗膜が形成されていてもよい。
【００２２】
上筒体２０は、天板２２を有する有天略円筒形状の部材であって、軸方向一端が開口している。上筒体の筒壁２１（以下、単に「筒壁２１」という場合がある）は、放熱フィン２３および上筒係合部２６が形成された部分を除き、軸方向に沿って略一定の直径を有する。上筒体２０の内部には、発光モジュール１２がホルダ１５によって保持された状態で収容されている。ホルダ１５は、ネジ１８（図３参照）を用いて上筒体２０の内部で天板２２に固定されている。
【００２３】
ホルダ１５は、中央に窓孔１７が形成された略円環形状の反射部１６を有する有底略円筒形状の部材である。ホルダ１５は、反射部１６の窓孔１７を通して発光モジュール１２の光が出射されるように、光源が実装された基板の面を下に向けた状態で発光モジュール１２を保持する。反射部１６は、ホルダ１５の底部を構成し、透光性カバー１４で反射して戻ってくる光を反射させると共に、発光モジュール１２を支持する。反射部１６は、外周部から窓孔１７の周縁に向かって次第に天板２２に近づくように傾斜している。
【００２４】
上筒体２０は、樹脂および金属のいずれで構成されてもよいが、本実施形態ではアルミニウム、鉄等を主成分とする金属で構成されているものとする。金属製の上筒体２０を用いることで、発光モジュール１２の放熱性が向上する。また、上筒体２０には、筒壁２１の上部および天板２２に複数の放熱フィン２３が形成されている。
【００２５】
上筒体２０には、電源ユニット５０のユニットカバー５２および支持部材７０を天板２２に固定するためのネジ２５が螺合される締結部２４が設けられている。締結部２４は、平面視略円形状を呈する天板２２の周縁部において径方向に並んで２つ存在する。各締結部２４は、放熱フィン２３よりも上方に突出する柱状に形成され、ネジ２５が螺合されるネジ孔を有している。また、上筒体の筒壁２１には、複数の上筒係合部２６（以下、単に「係合部２６」という場合がある）が形成されている。
【００２６】
下筒体３０は、軸方向一端の開口の周縁に形成された円環状のフランジ部３２を有する。フランジ部３２は、当該開口の周縁で径方向外側に張り出し、装置本体１１の上部が埋め込み孔から天井裏空間に挿入された状態で天井面に沿って配置される。下筒体の筒壁３１（以下、単に「筒壁３１」という場合がある）は、軸方向一端に向かって拡径した末広がりの略円筒形状を呈する。
【００２７】
下筒体３０は、樹脂および金属のいずれで構成されてもよいが、本実施形態では樹脂で構成されているものとする。一般的に、金属材料よりも樹脂材料の方が無線信号を通し易いので、樹脂製の下筒体３０を用いることにより、無線通信モジュール６０の通信性能が向上する。下筒体３０を構成する樹脂としては、ポリブチレンテレフタレート（ＰＢＴ）、アクリロニトリル−スチレン−アクリル酸エステルの共重合体（ＡＳＡ）等が例示できる。
【００２８】
下筒体３０には、取付バネ１３を支持するバネ支持部３３と、無線通信モジュール６０のケース７６を支持する収容部３４とが設けられている。バネ支持部３３および収容部３４は、いずれも下筒体の筒壁３１の外面に立設している。バネ支持部３３は、上述の通り下筒体３０の径方向に並んで２つ設けられ、例えば２つのバネ支持部３３から略等距離の位置に収容部３４が１つ設けられている。また、筒壁３１には、複数の下筒係合部３６（以下、単に「係合部３６」という場合がある）が形成されている。
【００２９】
電源ユニット５０は、例えば照明装置１０のスイッチ（図示せず）の操作信号に基づいて発光モジュール１２に供給する電力を制御する。照明装置１０では、かかる操作信号として、無線通信モジュール６０により受信されるリモコンの操作信号が含まれる。電源ユニット５０は、発光モジュール１２および無線通信モジュール６０と電気的に接続された電源部品５１を有する。上筒体２０の天板２２および取付台７１には配線を通す貫通孔（図示せず）が存在し、電源部品５１は当該配線を介して発光モジュール１２に電力を供給する。電源部品５１は、電源基板５３と、当該基板上に実装された電源回路素子５４とで構成されている。
【００３０】
電源ユニット５０は、電源部品５１を覆うユニットカバー５２を有する。本実施形態では、ユニットカバー５２および支持部材７０によって電源部品５１を収容する電源ケースが構成されている。ユニットカバー５２は、略平坦な矩形状の天板５２ａと、天板５２ａに対して略垂直に形成された側壁５２ｂとを有する。本実施形態では、側壁５２ｂに形成された支持突起５７によって電源基板５３が支持されている。支持突起５７は、例えば側壁５２ｂをユニットカバー５２の内側にプレスして形成され、当該カバーの内側に突出している。
【００３１】
ユニットカバー５２の側壁５２ｂには、電力ケーブル用のコネクタを含む端子台５８が取り付けられており、例えばこの端子台５８を介して交流電力が電源回路素子５４に供給される。電源回路素子５４に交流電力が供給される場合、電源回路素子５４は当該交流電力を直流電力に変換する機能を有する。
【００３２】
ユニットカバー５２では、天板５２ａの各長辺および一方の短辺に沿って側壁５２ｂが形成され、ユニットカバー５２の底部および天板５２ａの他方の短辺側に位置する側部が開口している。天板５２ａの各長辺に沿って形成され互いに対向する一対の側壁５２ｂの下端には、ユニットカバー５２の外側に張り出した一対の固定部５５が形成されている。固定部５５は、例えば側壁５２ｂに対して略垂直に形成され、ネジ２５を通す貫通孔５５ａを有する。本実施形態では、貫通孔５５ａに挿通されたネジ２５が上筒体２０の締結部２４に螺合されることで、固定部５５が上筒体２０に固定される。
【００３３】
ユニットカバー５２は、側部の開口が無線通信モジュール６０側を向いた状態で取付台７１上に載置され、固定部５５によって取付台７１を上から押え付けた状態で上筒体２０にネジ止めされる。また、ユニットカバー５２には、天板５２ａの端部から下方に延出した係止爪５６が形成されている。係止爪５６は、側部の開口が形成された部分において、天板５２ａに対して略垂直に、かつ側壁５２ｂよりも低い高さで形成されている。係止爪５６は、無線通信モジュール６０を収容するケース７６のケースカバー８０に係合して当該カバーを支持部材７０のケース本体７２に固定する機能を有する。
【００３４】
支持部材７０は、上述の通り、取付台７１およびケース７６が一体化された部材である。支持部材７０は、樹脂で構成されることが好ましく、樹脂製の支持部材７０は装置本体１１と電源ユニット５０とを絶縁する絶縁部材として機能する。取付台７１は、略平板形状を呈するベース部７３と、ベース部７３の短手方向両端から張り出した一対の凸状部７４とを有し、ベース部７３がユニットカバー５２の底部に形成された開口を塞ぐように構成されている。一対の凸状部７４は、ユニットカバー５２の固定部５５と重なる位置に形成され、固定部５５と上筒体２０とによって挟持される。なお、凸状部７４には、上筒体２０の締結部２４に嵌合する切欠き７４ａが形成されている。
【００３５】
支持部材７０には、ケース７６を構成するケース本体７２が形成されている。本実施形態では、ケース７６を構成するケースカバー８０が、支持部材７０と別部材で構成されている。ケースカバー８０は、ケース本体７２に対して着脱自在に構成され、ケース本体７２に保持された無線通信モジュール６０を覆って保護する。
【００３６】
以下、図３〜図６を参照しながら、装置本体１１、無線通信モジュール６０、および支持部材７０の構成について、さらに詳説する。図３Ａおよび図３Ｂは、装置本体１１を上方から見た斜視図であって、図３Ａは上筒体２０と下筒体３０とが互いに係合した状態を、図３Ｂは上筒体２０と下筒体３０とが係合していない状態をそれぞれ示す。
【００３７】
図３Ａおよび図３Ｂに例示するように、装置本体１１を構成する上筒体２０および下筒体３０は、相対的に回転可能であり、互いに分離結合自在に構成されている。上筒体２０の下端の直径および下筒体３０の上端の直径は略同一であり、下筒体３０の上端に上筒体２０を載置可能な構造を有する。このような構造を有することにより、上筒体２０と下筒体３０が異なる材料で構成される場合であっても、両部品の組み付けが容易で良好な生産性が得られる。
【００３８】
装置本体１１は、図３Ｂに示す状態において上筒体２０を時計回りに回転させることで上筒係合部２６が下筒係合部３６の係合溝３７に挿し込まれ、上筒体２０と下筒体３０とが図３Ａに示す係合状態となる。装置本体１１は、下筒体３０上に載置された上筒体２０を時計回りに回転させることで両部材が係合状態となり、反時計回りに回転させることで係合状態が解除されるように構成されている。
【００３９】
つまり、上筒体２０を下筒体３０の上に載せて下筒体３０を固定した状態で、上筒体２０を周方向に回転させることにより両部材を係合させることができる。他方、上筒体２０を下筒体３０の上に載せて上筒体２０を固定した状態で、下筒体３０を周方向に回転させることにより両部材を係合させることもできる。或いは、上筒体２０を下筒体３０の上に載せた状態で、上筒体２０および下筒体３０を反対方向に回転させることにより両部材を係合させることもできる。
【００４０】
上筒体２０および下筒体３０は、互いに係合する係合部２６，３６として、無線通信モジュール６０の収容部３４に近接配置される第１係合部２６ａ，３６ａと、当該各第１係合部よりも収容部３４から離れて配置される第２係合部２６ｂ，３６ｂとを有する。詳しくは後述するが、上筒係合部２６の少なくとも１つは、下筒係合部３６の少なくとも１つにネジ等の締結部品を用いて固定される。第２係合部２６ｂ，３６ｂは互いにネジ止め可能に構成されている点で、第１係合部２６ａ，３６ａと異なる。
【００４１】
本実施形態では、上筒体２０および下筒体３０が装置本体１１の周方向に沿って相対的に回転可能で、かつ当該回転により各係合部２６，３６が係合自在に構成されているが、各筒状体は相対的にスライド移動可能に構成されていてもよい。この場合、上筒体を下筒体上に載置した状態で上筒体をスライド移動させることにより、上筒係合部が下筒係合部と係合する。
【００４２】
上筒体２０は、筒壁２１の下端部に形成された係合部２６を有する。係合部２６は、上筒体２０の周方向に間隔をあけて複数形成され、それぞれ上筒体２０の径方向に張り出している。各係合部２６は、例えば平面視略五角形の板状であって、板厚方向が上筒体２０の軸方向に沿うように形成されている。本実施形態では、４つの係合部２６が上筒体２０の周方向に略等間隔で形成されている。４つの上筒係合部２６には、やや形状が異なる２種類が存在し、一方が係合突起２７を有する第１係合部２６ａ、他方が貫通孔２８を有する第２係合部２６ｂである。
【００４３】
下筒体３０は、筒壁３１の上端から一部が上方に突出した係合部３６を有する。係合部３６は、下筒体３０の周方向に間隔をあけて下筒体３０の外面に複数立設し、それぞれ係合部２６が挿し込まれる係合溝３７を有する。本実施形態では、４つの係合部３６が下筒体３０の周方向に略等間隔で、言い換えると係合部２６同士の間隔と略同じ間隔で形成されている。下筒体の筒壁３１にはバネ支持部３３および収容部３４が形成されているので、各係合部３６は筒壁３１の外面において、これらと干渉しない位置に形成される。
【００４４】
係合部３６は、筒壁３１の外面に立設した柱状の台座部３８と、台座部３８の上面に立設して筒壁３１の上端から上方に突出した鉤部３９とで構成されている。鉤部３９は、台座部３８の上面との間に係合部２６を挿し込み可能な隙間をあけて断面略Ｌ字状に形成されている。なお、当該隙間が係合溝３７となる。係合溝３７には、下筒体３０の周方向一方側のみから上筒係合部２６が挿し込み可能に形成されている。４つの下筒係合部３６には、鉤部３９に形成される貫通孔の形状が異なる２種類（第１係合部３６ａおよび第２係合部３６ｂ）が存在する。
【００４５】
装置本体１１では、上筒体２０の第２係合部２６ｂと下筒体３０の第２係合部３６ｂとが、互いにネジ止めされている。なお、第２係合部３６ｂを構成する台座部３８にはネジ孔（図示せず）が存在する。第２係合部２６ｂが第２係合部３６ｂの係合溝３７に挿し込まれた状態で貫通孔２８および第２貫通孔４１に挿通され台座部３８のネジ孔に螺合されるネジ４２によって、第２係合部２６ｂが第２係合部３６ｂにネジ止めされる。他方、上筒体２０の第１係合部２６ａと下筒体３０の第１係合部３６ａとは、第１係合部２６ａの係合突起２７が第１係合部３６ａの第１貫通孔４０に嵌合することで互いに係合する。第１貫通孔４０は、係合突起２７が嵌合可能な形状に形成されている。
【００４６】
つまり、無線通信モジュール６０に近接配置される第１係合部２６ａ，３６ａにはネジが取り付けられず、無線通信モジュール６０から離れて配置される第２係合部２６ｂ，３６ｂのみにネジ４２が取り付けられている。この場合、経年劣化による部品落下を防止しながら、無線通信モジュール６０の通信性能を向上させることができる。
【００４７】
図４は、図１中のＡＡ線断面図（端子台５８の図示省略）である。図５は照明装置１０を上方から見た斜視図（電源ユニット５０の図示省略）、図６は照明装置１０を上方から見た分解斜視図（電源ユニット５０の図示省略）である。図４〜図６に例示するように、照明装置１０では、無線通信モジュール６０がケース７６に収容され、当該ケース７６が下筒体３０の収容部３４に挿入されて安定に支持されている。また、下筒体３０の上端部には、周方向に沿って環状凹部３５が形成されている。透光性カバー１４は、周縁部が環状凹部３５上に載置された状態で上筒体２０と下筒体３０とによって挟持されている。
【００４８】
無線通信モジュール６０は、略長方形状の基板６１を有し、基板６１の長手方向が装置本体１１の軸方向に沿った状態でケース７６および収容部３４に収容されている。無線通信モジュール６０は、基板６１と、基板６１の一方の面に設けられたアンテナ６２とを有し、アンテナ６２が装置本体１１の内側を向いた状態で配置されている。無線通信モジュール６０は、さらに、アンテナ６２によって受信された無線信号を処理する受信回路６３と、電源部品５１および受信回路６３と電気的に接続された端子６４とを有する。アンテナ６２、受信回路６３、および端子６４は、基板６１の一方の面において、基板６１の長手方向にこの順に並んで実装されている。
【００４９】
アンテナ６２は、リモコンの操作信号等の無線信号を受信する機能を有し、基板６１の長手方向一端部に配置されている。照明装置１０を操作するリモコンは、照明装置１０の専用機器であってもよく、他の電気機器の操作リモコンと兼用されてもよい。また、無線通信モジュール６０は、施設の消費電力を管理するエネルギー管理システムの無線ルータ等から送信される無線信号を受信するように構成されていてもよい。
【００５０】
無線通信モジュール６０は、基板６１のアンテナ６２側を下に向け、アンテナ６２が下筒体３０側に位置するように設けられる。アンテナ６２を装置本体１１の軸方向一端側に近づけることで、無線通信モジュール６０の通信性能が向上する。無線通信モジュール６０は、アンテナ６２の少なくとも一部が上筒体２０の下端よりも下方に位置するように設けられることが好ましい。
【００５１】
無線通信モジュール６０には、従来公知のモジュールを適用することができる。好適な無線通信モジュール６０としては、Ｂｌｕｅｔｏｏｔｈ（登録商標）モジュール、Ｗｉ−Ｆｉモジュール、特定小電力無線モジュール（Ｗｉ−ＳＵＮモジュール）等が挙げられる。また、無線通信モジュール６０は、Ｂｌｕｅｔｏｏｔｈ（登録商標）とＷｉ−Ｆｉなど、複数の無線規格に対応可能なモジュールであってもよい。
【００５２】
無線通信モジュール６０が収容されるケース７６は、支持部材７０に形成されたケース本体７２と、ケース本体７２に取り付けられるケースカバー８０とで構成されている。ケース本体７２は、底部７２ａと、一対の側壁７２ｂと、無線通信モジュール６０の基板６１を支持する支持部７２ｃとを有し、取付台７１のベース部７３に連設されている。底部７２ａは、各側壁７２ｂの下端同士を連結し、ベース部７３と略平行に形成されている。
【００５３】
一対の側壁７２ｂは、無線通信モジュール６０の厚みを超える長さでベース部７３の長手方向一端から延出し、無線通信モジュール６０を基板６１の短手方向両側から挟むように対向配置されている。また、各側壁７２ｂはベース部７３から上下両側に延び、各側壁７２ｂの上下方向中央部がベース部７３と連結されている。各側壁７２ｂは、例えば底部７２ａに対して略垂直に形成されている。
【００５４】
支持部７２ｃは、底部７２ａ上に立設し、基板６１の長手方向端部を支持している。支持部７２ｃは、例えば基板６１の長手方向端部を挿し込み可能なスロットが形成されるように、ベース部７３の長手方向に所定の間隔をあけて複数立設している。基板６１は、支持部７２ｃによって、アンテナ６２等が実装された一方の面が装置本体１１の内側を向き、基板６１の長手方向が装置本体１１の軸方向（上下方向）に沿った状態で支持される。これにより、アンテナ６２の良好な通信性能を確保しながら、ユニットカバー５２の側部開口を介して電源部品５１と端子６４とを容易に配線接続できる。
【００５５】
ケース本体７２は、基板６１の他方側の面に対向する側部、および底部７２ａに対向する天部が開口している。ケース７６には、当該開口を塞いでケース本体７２に支持された無線通信モジュール６０を覆うケースカバー８０が設けられている。なお、支持部材７０には、ベース部７３の長手方向一端部において、ケース本体７２の両側に立設した立壁７５が形成されている。立壁７５は、側壁７２ｂに連設しており、ユニットカバー５２の開口の一部を塞ぐ側壁となる。
【００５６】
ケースカバー８０は、ケース本体７２の開口を塞ぐ略Ｌ字状に形成されたカバー本体８１と、カバー本体８１の上端から上方に延出した延出部８２とを有する。延出部８２は、立壁７５と上下方向に重なる位置に形成され、立壁７５よりも上方においてユニットカバー５２の側部開口の上部を塞ぐ側壁として機能する。ケースカバー８０は、カバー本体８１の下部が収容部３４の主壁３４ａによって押さえられ、延出部８２がユニットカバー５２の係止爪５６によって押さえられることで、ケース本体７２に固定されている。
【００５７】
下筒体３０には、上述の通り、筒壁３１の外面に立設した収容部３４に無線通信モジュール６０を収容したケース７６が挿入されている。収容部３４は、主壁３４ａと、一対の側壁３４ｂとで構成され、主壁３４ａと各側壁３４ｂとに囲まれたスペースにケース７６の下部が挿入されている。主壁３４ａおよび各側壁３４ｂはいずれも下筒体３０の軸方向に沿って立設し、主壁３４ａはケースカバー８０に沿うように、各側壁３４ｂはケース本体７２の各側壁７２ｂにそれぞれ沿うように形成されている。図５に示すように、ケースカバー８０の下部は、ケース本体７２と収容部３４の主壁３４ａとの間に挿し込まれる。
【００５８】
下筒体３０には、筒壁３１の周方向に沿った収容部３４の両側に２つの第１係合部３６ａが近接配置され、第１係合部３６ａよりも離れた収容部３４から略等距離の位置に２つのバネ支持部３３が設けられている。下筒体３０には、バネ支持部３３よりも収容部３４から離れた位置に２つの第２係合部３６ｂが設けられている。つまり、取付バネ１３およびネジ４２は、無線通信モジュール６０を収容する収容部３４から離れた位置に設けられている。
【００５９】
以上のように、上記構成を備えた照明装置１０によれば、施工性、生産性、照明性能等が損なわれることなく、良好な無線通信性能を確保できる。照明装置１０は、リモコンを用いた無線通信により点灯、消灯、調光、調色等を操作することができるので、ユーザーの利便性を高めることができる。また、照明装置１０では、取付バネ１３、ネジ４２等の金属材料を無線通信モジュール６０のアンテナ６２から離して配置することで、より良好な無線通信性能が得られる。
【００６０】
図７および図８は、実施形態の他の一例である照明装置１０Ｘを示す図である。図７は照明装置１０Ｘを下方から見た斜視図、図８は図７中のＢＢ線断面図（端子台５８の図示省略）である。以下では、上記実施形態と共通の構成要素には同じ符号を用いて重複する説明を省略し、上記実施形態との相違点について主に説明する。
【００６１】
図７および図８に例示する照明装置１０Ｘは、開口部４５が形成された装置本体１１Ｘを備える点で、照明装置１０と異なる。装置本体１１Ｘは、筒壁３１Ｘに形成された開口部４５を有し、無線通信モジュール６０は、装置本体１１Ｘの外側において、アンテナ６２が開口部４５の近傍に位置するように設けられている。照明装置１０Ｘは、無線通信モジュール６０がケース７７に収容され、ケース７７が収容部３４Ｘに挿入されている点で、照明装置１０と共通する。一方、照明装置１０Ｘでは、ケース７７が開口部４５に挿し込まれ、開口部４５を介してケース７７の底部７７ａが装置本体１１Ｘの内側から見えるように露出している。
【００６２】
開口部４５は、下筒体３０Ｘの筒壁３１Ｘに形成されている。下筒体３０Ｘは、樹脂および金属を含む種々の材料で構成されていてもよい。開口部４５を形成することで、下筒体３０Ｘが無線信号を通さない材料で構成される場合であっても無線通信モジュール６０の通信性能を確保できる。ケース７７は、ケース７６と同様に、ケース本体７２Ｘとケースカバー８０Ｘとで構成され、いずれも樹脂製であることが好ましい。ケースカバー８０Ｘは、ユニットカバー５２の係止爪５６によって押えられる延出部８２Ｘを有する。
【００６３】
照明装置１０Ｘでは、ケース本体７２Ｘの底部７７ａが下筒体の筒壁３１Ｘに沿うように傾斜している。ケース７７は、開口部４５に挿し込まれ、底部７７ａが装置本体１１Ｘの筒壁（筒壁３１Ｘ）に沿うように配置されている。つまり、底部７７ａ（ケース７７の底面）は、開口部４５に嵌って筒壁３１Ｘの内面の一部となり、筒壁３１Ｘの内面と面一で形成され筒壁３１Ｘと共に意匠面を構成している。この場合、良好な意匠性が得られると共に、ケース本体７２Ｘによって発光モジュール１２の光が遮られないので良好な照明性能が確保される。また、底部７７ａは発光モジュール１２の光を反射する反射面として機能してもよい。
【００６４】
ケース７７に収容された無線通信モジュール６０は、照明装置１０の場合と同様に、底部７７ａに立設する支持部７７ｃによってアンテナ６２を装置本体１１Ｘの内側に向けた状態で支持されている。アンテナ６２は、開口部４５の近傍であって透光性カバー１４の下端よりも下方に配置され、開口部４５を通過する無線信号を受信する。つまり、照明装置１０Ｘは、装置本体１１Ｘの外側に配置された無線通信モジュール６０が少なくとも開口部４５を介して無線信号を受信可能に構成されている。
【００６５】
なお、無線通信モジュール６０を収容するケースの下部を、開口部４５から装置本体１１の内側に突出させた形態とすることも可能である。或いは、無線通信モジュール６０のアンテナ６２をケースから露出させ、開口部４５から装置本体１１Ｘの内側に突出させることも可能である。
【００６６】
図９は、実施形態の他の一例である照明装置１０Ｙを上方から見た斜視図である。図９に例示する照明装置１０Ｙには、無線通信モジュール６０の収容部が存在しない点で、照明装置１０，１０Ｘと異なる。装置本体１１Ｙの外面には、無線通信モジュール６０のケース７８を支持する収容部が形成されていない。ただし、この場合も、無線通信モジュール６０は、ケース７８に収容され、アンテナ６２（図４等参照）を装置本体１１Ｙの内側に向け、基板６１の長手方向が装置本体１１Ｙの軸方向に沿った状態で配置されることが好ましい。また、装置本体１１Ｙは、その全体が一体成形されている点で、上筒体と下筒体とで構成される装置本体１１，１１Ｘと異なる。
【００６７】
ケース７８は、ケース本体７２Ｙと、ケース本体７２Ｙに取り付けられるケースカバー８０Ｙとで構成される。ケース本体７２Ｙは、取付台７１と一体化され、取付台７１と共に支持部材７０Ｙを構成する。例えば、ケースカバー８０Ｙの下部はケース本体７２Ｙの下部に挿し込まれ、ケースカバー８０の上部はユニットカバー５２の係止爪５６によって押えられる。
【００６８】
照明装置１０Ｙは、装置本体１１Ｙの天板上において、装置本体１１Ｙの周方向に支持部材７０Ｙを回転させることが可能な構造を有していてもよい。支持部材７０Ｙを装置本体１１Ｙの周方向に回転させることで、例えばバネ支持部３３と干渉しない範囲で無線通信モジュール６０が収容されるケース７８の位置を適宜変更できる。装置本体１１Ｙの天板には周方向に沿って複数のネジ孔が形成されていてもよく、この場合、ケース７８は装置本体１１Ｙの周方向に沿った任意の位置で固定可能である。
【００６９】
また、支持部材７０Ｙは、磁性体、マジックテープ（登録商標）等を用いて装置本体１１Ｙの周方向に沿った任意の位置で固定されてもよい。或いは、無線通信モジュール６０を収容したケース自体が、磁石、マジックテープ（登録商標）等を用いて装置本体の外側の任意の場所に着脱自在に配置されてもよい。
【符号の説明】
【００７０】
１０  照明装置、１１  装置本体、１２  発光モジュール、１３  取付バネ、１４  透光性カバー、１５  ホルダ、１６  反射部、１７  窓孔、１８  ネジ、２０  上筒体、２１  上筒体の筒壁（筒壁）、２２  天板、２３  放熱フィン、２４  締結部、２５  ネジ、２６  上筒係合部（係合部）、２６ａ  第１係合部、２６ｂ  第２係合部、２７  係合突起、２８  貫通孔、３０  下筒体、３１  下筒体の筒壁（筒壁）、３２  フランジ部、３３  バネ支持部、３４  収容部、３４ａ  主壁、３４ｂ  側壁、３５  環状凹部、３６  下筒係合部（係合部）、３６ａ  第１係合部、３６ｂ  第２係合部、３７  係合溝、３８  台座部、３９  鉤部、４０  第１貫通孔、４１  第２貫通孔、４２  ネジ、５０  電源ユニット、５１  電源部品、５２  ユニットカバー、５２ａ  天板、５２ｂ  側壁、５３  電源基板、５４  電源回路素子、５５  固定部、５５ａ  貫通孔、５６  係止爪、５７  支持突起、５８  端子台、６０  無線通信モジュール、６１  基板、６２  アンテナ、６３  受信回路、６４  端子、７０  支持部材、７１  取付台、７２  ケース本体、７２ａ  底部、７２ｂ  側壁、７２ｃ  支持部、７３  ベース部、７４  凸状部、７４ａ  切欠き、７５  立壁、７６  ケース、８０  ケースカバー、８１  カバー本体、８２  延出部
【図１】
2018198140.tif 000003
【図２】
2018198140.tif 000004
【図３Ａ】
2018198140.tif 000005
【図３Ｂ】
2018198140.tif 000006
【図４】
2018198140.tif 000007
【図５】
2018198140.tif 000008
【図６】
2018198140.tif 000009
【図７】
2018198140.tif 000010
【図８】
2018198140.tif 000011
【図９】
2018198140.tif 000012